(57)【要約】【課題】外箱の前面側を有効利用して小型化を実現する衣類処理装置を提供する。【解決手段】衣類処理装置（１）は、外箱開口部（６）を外箱前面部（１０３）に有する外箱（１ａ）と、外箱（１ａ）内に配置されるとともに、少なくとも一部が外箱開口部（６）に対向して配置される回転槽開口部（２６）を有する回転槽（３）と、一側において回動可能に支持するヒンジ部（６５）を有し、外箱開口部（６）を覆うことによって外箱開口部（６）を閉じるドア（５０）と、ドア（５０）の後面側であり且つヒンジ部（６５）とは反対側に位置する他側のコーナー部（７４）において、ドア（５０）の厚み方向及び幅方向に切り欠かれた操作用凹部（６４）と、ドア（５０）の操作用凹部（６４）に配設されて、ドア（５０）のロック解除を操作するためのロック解除部（５３）とを備える。【選択図】図６
2018117889.tif 000002
【特許請求の範囲】
【請求項１】
外箱開口部を外箱前面部に有する外箱と、
前記外箱内に配置されるとともに、少なくとも一部が前記外箱開口部に対向して配置される回転槽開口部を有する回転槽と、
一側において回動可能に支持するヒンジ部を有し、前記外箱開口部を覆うことによって前記外箱開口部を閉じるドアと、
前記ドアの後面側であり且つ前記ヒンジ部とは反対側に位置する他側のコーナー部において、前記ドアの厚み方向及び幅方向に切り欠かれた操作用凹部と、
前記ドアの前記操作用凹部に配設されて、前記ドアのロック解除を操作するためのロック解除部とを備えることを特徴とする衣類処理装置。
【請求項２】
請求項１に記載の衣類処理装置において、
前記ロック解除部が、前記ドアの厚み方向にスライド移動可能に構成されていることを特徴とする衣類処理装置。
【請求項３】
請求項１又は請求項２に記載の衣類処理装置において、
前記操作用凹部が、前記ドアの他側において上下方向に延びる段部に形成されていることを特徴とする衣類処理装置。
【請求項４】
請求項１から請求項３のいずれか１項に記載の衣類処理装置において、
前記ロック解除部が、前記ドアの側面よりも外方に張り出した張出操作部を有することを特徴とする衣類処理装置。
【請求項５】
請求項１から請求項４のいずれか１項に記載の衣類処理装置において、
前記ドアが、四角形のドア本体部と、該ドア本体部の上方に位置する傾斜部とを有し、
前記傾斜部の上端部が前記ドア本体部よりも後方に位置するように傾斜しており、
前記傾斜部の前面側には表示操作部が配設されていることを特徴とする衣類処理装置。
【発明の詳細な説明】
【技術分野】
【０００１】
この発明は、衣類処理装置に関し、ドラム式洗濯乾燥機やドラム式洗濯機やドラム式乾燥機などの衣類処理装置に関する。
【背景技術】
【０００２】
従来、衣類処理装置では、回転槽が外箱内に配置され、回転槽の回転槽開口部に対向して配置された外箱開口部が外箱前面部に配設されており、外箱開口部の略円形状に合わせてドアが略円形状に構成されている。そして、ドアの後面側には、ドアのロック解除操作を行うためのロック解除部が配設されるとともに、ロック解除部に対向する外箱前面部には、ロック解除部を操作し易くするための操作用凹部が形成されている（例えば、特許文献１を参照）。
【先行技術文献】
【特許文献】
【０００３】
【特許文献１】特開２０１４−１２８７０３号公報
【発明の概要】
【発明が解決しようとする課題】
【０００４】
特許文献１では、外箱前面部に操作用凹部を設けることによって外箱の前面側の内部スペースに他の構成要素を配置することが制限されるので、外箱の前面側が有効利用されず、衣類処理装置を小型化するのが難しい。
【０００５】
したがって、この発明の解決すべき技術的課題は、外箱の前面側を有効利用して小型化を実現する衣類処理装置を提供することである。
【課題を解決するための手段】
【０００６】
上記技術的課題を解決するために、この発明によれば、以下の衣類処理装置が提供される。
【０００７】
すなわち、この発明に係る衣類処理装置は、
外箱開口部を外箱前面部に有する外箱と、
前記外箱内に配置されるとともに、少なくとも一部が前記外箱開口部に対向して配置される回転槽開口部を有する回転槽と、
一側において回動可能に支持するヒンジ部を有し、前記外箱開口部を覆うことによって前記外箱開口部を閉じるドアと、
前記ドアの後面側であり且つ前記ヒンジ部とは反対側に位置する他側のコーナー部において、前記ドアの厚み方向及び幅方向に切り欠かれた操作用凹部と、
前記ドアの前記操作用凹部に配設されて、前記ドアのロック解除を操作するためのロック解除部とを備えることを特徴とする。
【発明の効果】
【０００８】
この発明によれば、ドアの後面側において操作用凹部及びロック解除部を配設することにより、外箱の前面側が有効利用されて、衣類処理装置を小型化できる。
【図面の簡単な説明】
【０００９】
【図１】第１実施形態に係る衣類処理装置を斜め右上から見た斜視図。
【図２】ドアを開けた状態の衣類処理装置の正面図。
【図３】ドアを開けた状態の衣類処理装置を斜め右上から見た斜視図。
【図４】ドアを閉じた状態の衣類処理装置の右側面図。
【図５】図１の衣類処理装置の模式的縦断面図。
【図６】ドアの後面斜視図。
【図７】ドアの展開図。
【図８】ドア本体部から後面カバーを取り外したドアの要部を示す斜視図。
【図９】ドア本体部から後面カバーを取り外したドアの要部を示す後面図。
【図１０】図９のドア本体部からロック解除部材を取り外したドアの要部を示す後面図。
【図１１】第２実施形態に係る衣類処理装置において、ロック解除部材から張出操作部を取り外したドアの要部を示す後面図。
【図１２】第３実施形態に係る衣類処理装置におけるドアの後面斜視図。
【発明を実施するための形態】
【００１０】
以下、この実施形態の衣類処理装置１を図面を参照しながら詳細に説明する。なお、この実施形態は、あくまでも一例であって、当該実施形態に限定されるものではない。
【００１１】
〔第１実施形態〕
図１は、衣類処理装置１の一実施形態としてのドラム式洗濯機１の斜視図である。まず、図１に基づいて、ドラム式洗濯機１の全体構成を説明する。以下、説明の便宜上、図１等において、ドア５０が設けられた側を前面側（前方）とするとともに、ドア５０が設けられている側と反対側を後面側（後方）とし、ドラム式洗濯機１を前面側から見た図１を基準としてドラム式洗濯機１の方向を特定する。また、本願では、洗濯及び乾燥を行うことができるドラム式洗濯乾燥機と、乾燥を行わず洗濯のみを行うドラム式洗濯機とを総称して、ドラム式洗濯機１と呼んでいる。
【００１２】
ドラム式洗濯機１は、外郭を成す外箱１ａを備える。この外箱１ａは、外箱上面部１０１と、外箱前面部１０３と、外箱後面部１０４と、一対の外箱側面部１０５と、底台１０６とによって構成されている。なお、図１では、一対の外箱側面部１０５のうちの一方だけを図示している。
【００１３】
外箱１ａの外箱前面部１０３は、外箱平面部１０３ａと上傾斜部１０３ｂと下平面部１０３ｃとを有する。外箱平面部１０３ａは、略垂直方向に延在する。上傾斜部１０３ｂは、外箱平面部１０３ａの上方に延在するともに、ドア５０の傾斜後面カバー５５に対応して、外箱平面部１０３ａに対して後方に傾斜している。下平面部１０３ｃは、外箱平面部１０３ａの下方に略垂直方向に延在するとともに、外箱平面部１０３ａと面一である。外箱前面部１０３には、洗濯物の出し入れに使用される外箱開口部６が設けられている。また、外箱前面部１０３の一側には、外箱開口部６を開閉するためのドア５０が、ヒンジ部６５によって回動可能に支持されている。なお、以下の説明において、ドア５０においてヒンジ部６５が設けられている側を単に一側と呼び、ドア５０においてヒンジ部６５が設けられている側と反対側を単に他側と呼ぶことがある。
【００１４】
外箱１ａの外箱上面部１０１には、給水口１０と洗剤ケース１１と気流フィルタ装置３０と電源ボタン３１とが設けられている。
【００１５】
外箱上面部１０１の左側後方に設けられた給水口１０は、図示しない給水ホースを介して水道の蛇口に接続するために使用される。
【００１６】
外箱上面部１０１の左側前方に設けられた洗剤ケース１１では、例えば、洗剤、漂白剤及び柔軟剤が収容される。外箱上面部１０１の右側後方に設けられた気流フィルタ装置３０は、湿潤風に含まれる糸くずや埃などの異物を捕集する。すなわち、糸くずや埃などの異物が、気流フィルタ装置３０によって循環風路内を流れる空気から捕集される。外箱１ａの外箱上面部１０１側の内部には、ドラム式洗濯機１の動作を制御する制御装置(図示しない)が配置されている。制御装置は、例えばマイクロコンピュータであり、ドラムモータ４の回転を制御するとともに、水位センサによって検出された水槽２の水位に基づいて、給水弁１３及び排水弁２２の開閉を制御する。
【００１７】
外箱上面部１０１の右側前方に設けられた電源ボタン３１は、凸状の押圧部を有する機械式の操作ボタンであり、少なくとも電源をＯＮにする機能を有する電源入りキーである。電源ボタン３１がＯＮになっていない状態では、表示操作部５４には文字や図形などの各種情報が表示されない。電源ボタン３１が、１つのキーで電源をＯＮ又はＯＦＦにする機能を有することもできる。後述するように表示操作部５４がタッチパネルからなるとともに、凸状の押圧部を有する電源ボタン３１（機械式電源入りキー）がドア５０側でなく外箱１ａ側に配置されることで、ドア５０の前面側を平坦化でき、ドア５０の薄肉化を図ることができる。
【００１８】
図２，図３及び図５を参照しながら、ドラム式洗濯機１の外箱１ａの構成について説明する。
【００１９】
（外箱１ａの構成）
図５に示すように、ドラム式洗濯機１は、外箱１ａ内に配置された有底筒形状の水槽２と、この水槽２内に回転可能に配置された有底筒形状の回転槽３と、水槽２の後部に取り付けられて回転槽３を回転駆動するドラムモータ４とを備える。水槽２の後部は、２本のダンパ１２(図５では１本のみ図示)によって弾性的に支持されている。回転槽３は、洗濯物を収容して水槽２よりも若干小径である。ドラム式洗濯機１では、通常、回転槽３の回転軸Ｊは、前側が後側よりも高くなるように、すなわち斜め上方を向くように、水平方向に対して傾斜して延在している。なお、回転軸Ｊは、水平方向に対して略平行に延在してもよい。なお、回転槽３は回転槽の一例であり、ドラムモータ４は駆動装置の一例である。
【００２０】
洗濯物などの衣類を収容するためのドラムとして働く回転槽３は、前側の回転槽開口部２６が水槽２の水槽開口部１６の内側を臨むように構成されている。また、回転槽開口部２６の少なくとも一部が、外箱開口部に対向するように回転槽開口部２６が配置されている。回転槽３は、ドラムモータ４の回転軸Ｊの端部に連結されて、ドラムモータ４の駆動により、水槽２の内部で回転するように構成されている。
【００２１】
回転槽３は、回転槽開口部２６の外側に周設された流体バランサ２９を備える。流体バランサ２９は、回転槽３が回転した場合に、当該回転に伴う振動を吸収して緩和する機能を有する。回転槽３の周壁には、多数の小さな貫通孔２７が全面に亘って形成されている。また、回転槽３の内面には、軸方向に延びる複数のバッフル２８が周方向に等配で突設されている。なお、簡便のため、図２では、貫通孔２７の一部及び１つのバッフル２８を図示している。
【００２２】
外箱１ａの外箱前面部１０３には、環状の装飾部材１７が配設されている。環状の装飾部材１７は、水槽２の水槽開口部１６を臨む位置に、洗濯物を出し入れするための外箱開口部６を有する。外箱開口部６は、水槽２の水槽開口部１６及び回転槽３の回転槽開口部２６を臨むように構成されている。円形の水槽開口部１６は、円形の回転槽開口部２６と同軸に形成されている。外箱開口部６の開口縁と水槽開口部１６の開口縁とは、ベローズ状の接続部材（図示しない）によって接続されており、当該構成により外箱１ａと水槽２との間が液密に封止されている。
【００２３】
給水口１０が、外箱１ａ内で給水弁１３の注入口に接続されている。これにより、水が、給水ダクト１５と洗剤ケース１１とを経由して、水槽２の上部から水槽２内に流入したり、あるいは、冷却水ダクト１４を流れて、水槽２の下部から水槽２内に流入したりすることが可能になっている。水槽２の内部に供給された水は、洗い用の洗濯水、又は、すすぎ用のすすぎ水として使用される。なお、給水弁１３は、複数の給水出口を有する多連形の電磁弁であり、給水装置の一例である。
【００２４】
水槽２には、最下位置となる底板近傍の周面に排水ダクト１９が接続されている。排水ダクト１９は、外箱１ａの内側における前下部に固定支持された筒形の排水フィルタ装置２０に接続されている。排水フィルタ装置２０の内部には、水槽２内の洗濯水又はすすぎ水に含まれる繊維屑等の異物を捕集する糸屑フィルタ７０が収容されている。排水フィルタ装置２０の下部は、排水弁２２を介して外箱１ａの底面に沿って配設された排水ホース２１に接続されている。排水弁２２を開くと、水槽２内の洗濯水又はすすぎ水は、排水ダクト１９と排水フィルタ装置２０と排水ホース２１とを経て水槽２外に排出される。水槽２内の洗濯水又はすすぎ水に含まれる異物は、排水フィルタ装置２０内の糸屑フィルタ７０によって捕集され、洗濯水又はすすぎ水から除去される。また、排水弁２２を閉じた状態で循環ポンプ２４を駆動すると、水槽２内の液体を水槽２外に出して、排水ダクト１９および循環ダクト２５を介して水槽２内に戻すことができる。また、排水フィルタ装置２０は、糸屑フィルタ７０を収容している。
【００２５】
装飾部材１７に形成される外箱開口部６の開口縁には、ゴムや軟質樹脂等の弾性体から成るパッキン１８が配設されている。これにより、ドア５０を閉じると、ドア５０の突出閉止部５６がパッキン１８に密着して、水槽２内の液体が外部に漏れ出ることを防止できる。
【００２６】
ダンパ１２は、オイルが封入されたシリンダ部と、上端部がシリンダ部内に入ったピストンロッドとを有している。このピストンロッドの下端部は、弾性体(例えばニトリルゴム)からなるダンパブッシュを介してダンパ支持金具に取り付けられている。
【００２７】
また、ドラム式洗濯機１が乾燥機能を有する場合、洗濯物を乾燥させるためのヒートポンプユニット(図示せず)が、水槽２の下方後面側に配置される。このヒートポンプユニットは、乾燥運転には、洗濯物の水分を含んだ空気を回転する回転槽３から導出して、水分を含んだ空気の除湿及び加熱を行い、乾燥した温風を回転槽３へ導入する。
【００２８】
図１から図６を参照しながら、ドラム式洗濯機１のドア５０の構成について説明する。
【００２９】
（ドア５０の構成）
図１に示すように、ドア５０は、ドア本体部５１と傾斜部５２とを備える。ドア本体部５１は、正面視で略四角形の形状をしており、略垂直方向に延在する。ドア本体部５１における略四角形というのは、長方形や正方形の方形形状を始め、台形形状なども含み、それらのコーナー部が丸みを有する形態も含む。傾斜部５２は、ドア本体部５１の上部に位置しており、正面視で、略垂直方向に延在するドア前パネル部６９に対して後方に傾斜している。すなわち、傾斜部５２の上端部６７がドア本体部５１よりも後方に位置するように傾斜部５２は傾斜している。
【００３０】
図３に示すように、外箱１ａの外箱前面部１０３とドア５０のドア枠部６８との間に介在配置された２つのヒンジ部６５によって、ドア５０が外箱１ａの外箱前面部１０３に対して回動可能に支持されている。上下２つのヒンジ部６５が、ドア５０の後面側且つ一側のコーナー部７３及び外箱１ａの一側のそれぞれに設けられている。また、ドア５０の後面側であり且つヒンジ部６５とは反対側に位置する他側のコーナー部（後面側且つ他側のコーナー部）７４には、ロック解除部５３が設けられている。
【００３１】
表示操作部５４の操作性及び視認性の観点から、ドア本体部５１の表面積に対する傾斜部５２（すなわち表示操作部５４）の表面積の比率が、例えば、１／２０〜１／４である。また、表示操作部５４の操作性及び視認性の観点から、ドア本体部５１のドア前パネル部６９に対する傾斜部５２（すなわち表示操作部５４）の傾斜角度が、例えば、２０度〜４５度であり、好ましくは２５度〜３５度である。さらに、当該傾斜角度は、この実施形態を限定しない数値として、例えば約３３度である。
【００３２】
（ドア本体部５１の構成）
図１、図３及び図７に示すように、ドア本体部５１は、平板形状のドア前パネル部６９と、ドアベース部材１６４と、左右のドア枠部６８と、後方に突出する突出閉止部５６と、略平板形状の本体後面カバー６２とを有する。図７に示すように、ドア本体部５１の前面側から後面側にかけて、ドア前パネル部６９、ドアベース部材１６４、突出閉止部５６及び本体後面カバー６２は、この順序で配置されている。ドア前パネル部６９は、透光性を有する材料（例えばガラス材料）からなり、突出閉止部５６も透光性を有する材料（例えば樹脂材料）からなる。したがって、ドア５０の前面側から回転槽３内部を見ると、ドア前パネル部６９及び突出閉止部５６を通じて、回転槽３内部が視認できる。ドア前パネル部６９はドアベース部材１６４の前面側に取り付けられ、本体後面カバー６２はドアベース部材１６４の後面側に取り付けられる。本体後面カバー６２の他側の側部７６は、ドア枠部６８の側部よりも小さく寸法構成されており、ドア枠部６８の側部よりも幅方向（左右方向）に引っ込んでいる。これにより、本体後面カバー６２の他側の側部７６において段部６３が形成されている。段部６３は、ドア５０のロック解除の操作を行う際に使用者の手指が入るように、ドア５０の厚み方向（前後方向）及び幅方向（左右方向）において十分なスペースを備えている。段部６３によって、本体後面カバー６２の他側の側部７６が見にくくなるため、ドア５０の厚みが薄いように視覚されるという効果も奏する。ドア前パネル部６９は、ドアベース部材１６４の前面部に貼り付けられるとともに、左右のドア枠部６８によって保持される。
【００３３】
図３及び図５に示すように、突出閉止部５６は、後方に突出した山型形状の後方頂部と、山の裾部分に対応するベース部とを有する。ドア５０を閉じたとき、突出閉止部５６の後方頂部の一部が、水槽開口部１６内に挿入されるように構成されている。本体後面カバー６２は、突出閉止部５６の山型部分の大部分を挿入するための開口を有する。突出閉止部５６の山型部分を本体後面カバー６２の開口に挿入した状態で、突出閉止部５６のベース部が、ドアベース部材１６４の後面部と本体後面カバー６２の前面部との間で挟持されている。それにより、突出閉止部５６が、ドアベース部材１６４及び本体後面カバー６２で保持されている。ドア５０を閉じると、ドア５０の突出閉止部５６が外箱開口部６を覆うとともに突出閉止部５６の外周面がパッキン１８に密着して、外箱開口部６が閉じられるので、水槽２内の液体が外部に漏れ出ることが防止される。
【００３４】
図５に示すように、外箱前面部１０３の下側のヒンジ部６５よりも下側の一側（ヒンジ部６５側）には、糸屑フィルタ７０の装填された排水フィルタ装置２０が設けられている。糸屑フィルタ７０の前面にはフィルタキャップ７１が設けられており、フィルタキャップ７１の先端側には、前方に突出して横方向に延びるフィルタキャップ把持部が形成されている。フィルタキャップ把持部の回動によって糸屑フィルタ７０を排水フィルタ装置２０に対して着脱できる。
【００３５】
図２及び図３に示すように、外箱１ａの外箱前面部１０３の一側（ヒンジ部６５側）の下部において、排水フィルタ用ドア６０が、ヒンジによって外箱前面部１０３の下平面部１０３ｃに対して回動可能に軸支されている。排水フィルタ用ドア６０を閉じると、排水フィルタ用ドア６０は、外箱１ａ内に配置された排水フィルタ装置２０を覆い、例えば、下平面部１０３ｃと面一になるように構成されている。排水フィルタ用ドア６０の後面部には、誤挿入防止構造が設けられている。すなわち、凸状の誤挿入防止構造を排水フィルタ用ドア６０の後面部側に設けるとともに、凸状のフィルタキャップ把持部を有する構成とすることができる。当該構成によれば、フィルタキャップ７１の回動位置が適切であると互いの凸形状が干渉せず、排水フィルタ用ドア６０を閉じることが可能となる。逆に、フィルタキャップ７１の回動位置が不適切であると、互いの凸形状が干渉し、排水フィルタ用ドア６０を完全に閉じることができなくなることにより、糸屑フィルタ７０の挿入が不完全であることを注意喚起できる。
【００３６】
このように、排水フィルタ用ドア６０は、外箱１ａ内に配置された排水フィルタ装置２０を覆うように構成されている。さらに、排水フィルタ用ドア６０は、糸屑フィルタ７０が排水フィルタ装置２０に装填されているか否かを、そしてフィルタキャップ７１が正しい位置で閉じられているか否かを知らしめるように構成されている。
【００３７】
図２から図４に示すように、ドアベース部材１６４の後面側であってヒンジ部６５の反対側には、ユーザによって操作されるロック解除部５３が設けられている。ロック解除部５３は、ドア５０の厚み方向の前側にスライド移動することにより、ドア５０のロック解除を行う機能を有する。ドアベース部材１６４に回動可能に支持された係止爪部５７が、ロック解除部５３の動きに連動するように構成されている。被係止部６６は、環状の装飾部材１７の後面側に取り付けられた被係合部材（図示しない）に形成された係合穴である。ロック解除部５３がドア５０の厚み方向の前側にスライド移動すると、係止爪部５７が非係合側に移動することにより被係止部６６に対する係止爪部５７の係合が解除されて、ドア５０が開放される。
【００３８】
（傾斜部５２の構成）
図１から図３及び図６に示すように、傾斜部５２は、傾斜部５２の前面側に配設された表示操作部５４と、表示操作部５４の周縁部に取り付けられた傾斜枠部７８と、傾斜枠部７８の後面側に取り付けられる傾斜後面カバー５５とを有する。傾斜部５２は、傾斜部５２の上端部６７がドア本体部５１よりも後方に位置するように傾斜している。表示操作部５４は、ドア本体部５１のドア前パネル部６９に対して後方に傾斜して配置されている。傾斜部５２の上端部６７が、外箱１ａの外箱前面部１０３の外箱平面部１０３ａよりも後方に位置している。当該構成によれば、厚みの薄いドア５０において大きな傾斜部５２及び大きな表示操作部５４を配設できて、ドア５０がコンパクトになるとともに圧迫感が軽減される。
【００３９】
図７に示すように、表示操作部５４は、操作カバー部７９と、表示操作枠部１８１と、表示部１８２と、操作基板部１８３と、後面取付部１８４とを備える。表示操作部５４の前面側から後面側にかけて、操作カバー部７９、表示操作枠部１８１、表示部１８２、操作基板部１８３及び後面取付部１８４は、この順序で配置されている。操作カバー部７９は、例えば、透明なガラス板や樹脂パネルなどからなり、傾斜した平面を構成する。操作カバー部７９は、表示操作枠部１８１の前面側に貼付される。操作カバー部７９は、接触体が直接的に接触する部分であり、操作カバー部７９への接触によって、入力操作が行われる。
【００４０】
表示部１８２は、図示しないタッチキーに対応する文字部分及び／又は図形部分に透光部が形成された遮光フィルムが基材上に貼付され、当該遮光フィルムの上に透明電極部が貼付されたデバイスである。表示部１８２は、操作基板部１８３に設置された光源（例えばＬＥＤ）によって照明される。表示部１８２に設けられている透明電極部は、タッチキーとして機能して、操作基板部１８３に接続されている。透明電極部を有する表示部１８２は、タッチパネルの機能を有する。表示部１８２及び操作基板部１８３が、図示しないパッキンを介して後面取付部１８４に一体的に固定された状態で、表示操作枠部１８１の後面側に固定される。そして、表示部１８２は、表示操作枠部１８１に形成された収納開口に収まるように構成されている。このようにして、タッチパネルとして働く表示操作部５４が構成される。当該表示操作部５４に対して、傾斜枠部７８及び傾斜後面カバー５５が取り付けられる。なお、上記遮光フィルムは、操作カバー部７９の後面側に貼付してもよい。
【００４１】
表示操作部５４は、動作状態、各種設定、ユーザへのメッセージ等の各種情報を表示する。タッチキーは、表示部１８２上に形成されており、設定に関する情報を表示する。タッチキーは、操作カバー部７９を介して、ユーザの指やペン状体のような接触体の接触によって入力操作を行うためのキーである。
【００４２】
各タッチキーは、文字部分及び／又は図形部分（以下、文字部分などという。）と、その他の部分とを有する。各タッチキーでは、文字部分などが透光性を有し、その他の部分が遮光性である。各タッチキーの後面には、図示しない光源、例えばＬＥＤ（Light Emitting Diode）が配置されている。キー表示制御部によって、光源が点灯して、対応するタッチキーへの光の照射が制御される。タッチキーの後面に対して光が照射されると、文字部分などが表示され、各タッチキーは視認可能な表示状態となる。その結果、各タッチキーの文字部分などによって、設定に関する情報が表示される。
【００４３】
タッチキーのうち、対応する光源が点灯していないタッチキーについては、文字部分などが視認不可の非表示状態になっている。このように、キー表示制御部によって、各タッチキーの表示又は非表示が切換え可能に構成されている。
【００４４】
表示部１８２は、上記デバイスの他に、液晶パネル及び有機ＥＬなどの表示デバイスを用いることができる。また、表示部１８２は、カラー表示又は白黒表示とすることができる。タッチパネルの機能を有する表示部１８２は、接触体によってその表面に対して接触操作が行われると、表面電荷が変化する静電容量方式のものである。なお、表示操作部５４として、例えば、抵抗膜方式、表面弾性波方式、赤外線方式又は電磁誘導方式のタッチパネルも利用可能である。
【００４５】
表示操作部５４は、外箱１ａの内部に設けられている制御装置に接続されており、表示操作部５４に対する操作情報は、制御装置へ出力される。制御装置は、表示操作部５４から出力された操作情報に基づいて運転内容を決定し、決定した運転内容に従って洗濯運転及び乾燥運転などを行う。
【００４６】
（ロック機構３５の構成）
図８から図１０に示すように、ドアベース部材１６４の後面側であってヒンジ部６５の反対側に位置する他側には、ロック機構３５が配設されている。ロック機構３５は、ドア５０を閉じると、ドア５０の係止爪部５７が外箱１ａの被係止部６６に係止して、ドア５０を外箱１ａにロック固定するように構成されている。その一方で、ロック機構３５は、ドア５０を閉じた状態で、ロック解除部５３がドア５０の厚み方向の前側にスライド移動するように操作されると、係止爪部５７がドア５０の一側に向けて回動して係止爪部５７が被係止部６６から外れるように構成されている。以下、図８から図１０を参照しながら、ロック機構３５について詳細に説明する。
【００４７】
図８に示すように、ロック機構３５は、係止部材４０と、揺動部材８０と、ロック解除部材９０とを有する。係止部材４０、揺動部材８０及びロック解除部材９０が、当該順序で、一側から他側に向けて配設されている。
【００４８】
係止部材４０は、係止基部４２と、係止アーム部４１と、回動軸４３と、係止押圧部４９と、係止爪部５７とを有する。係止基部４２は、一側に設けられた上下２つの回動軸４３と、他側に設けられた係止押圧部４９と有する。上下２つの回動軸４３は、ドアベース部材１６４に設けられた上下２つの軸支部４６によってそれぞれ軸支されている。係止部材４０は、上下２つの回動軸４３を中心にして一側での非係止位置と他側での係止位置との間を回動する。係止基部４２の後面には、後面側に延びる係止アーム部４１が立設されている。係止アーム部４１の先端には、係止爪部５７が形成されている。係止爪部５７は、図２及び図３に示す外箱１ａの被係止部６６に係止可能なように、他側に向けて突出している。係止押圧部４９は、揺動部材８０の揺動下接触部８２に接触可能なように、他側に向けて延在している。
【００４９】
図８に示すように、下に位置する回動軸４３には、捻りコイルバネ４８が巻装されている。捻りコイルバネ４８は、上に位置する第１アーム部４４と、下に位置する第２アーム部４５とを有する。第１アーム部４４は、係止基部４２の後面で受け止められ、第２アーム部４５は、ドアベース部材１６４に設けられたアーム受部４７で受け止められる。捻りコイルバネ４８によって、係止爪部５７が他側に向けて付勢されているとともに、係止押圧部４９が前面側に向けて付勢されている。
【００５０】
揺動部材８０は、揺動軸８１によって揺動可能に軸支された上下方向に延びる板状体である。揺動部材８０は、下方に形成された揺動下接触部８２と、上方に形成された揺動上接触部８３と、揺動下接触部８２及び揺動上接触部８３の間に位置する揺動軸８１とを有する。揺動軸８１は、ドアベース部材１６４に設けられた揺動軸受部８５によって軸支されている。このように、揺動部材８０は、揺動軸８１を中心にしてシーソーのように揺動するように支持されている。したがって、揺動下接触部８２は、揺動軸８１に関して揺動上接触部８３と逆方向に動き、例えば、揺動下接触部８２が前面側に動くと、揺動上接触部８３が後面側に動く。そして、揺動下接触部８２は、後面側において、係止部材４０の係止押圧部４９に接触して、係止押圧部４９によって前面側に付勢されている。それとともに、揺動上接触部８３は、後面側において、ロック解除部材９０の操作押圧部９５に接触して、揺動下接触部８２とは逆に後面側に付勢されている。
【００５１】
ロック解除部材９０は、操作基部９１と、張出操作部９４と、操作押圧部９５とを有する。操作基部９１は、平面視で四角形の形状をしている。操作基部９１の４つのコーナー部が、下ガイド部９６と上ガイド部９７と他側の側壁部７５とでガイドされている。したがって、操作基部９１が、ドア５０の厚み方向に（すなわち前面側と後面側との間で前後方向に）スライド移動可能になっている。操作基部９１の後面側であって揺動部材８０側には、後面側に延びる直立ガイド部９２が立設されている。本体後面カバー６２がドアベース部材１６４に取り付けられて、直立ガイド部９２がドア５０の厚み方向にスライド移動するとき、直立ガイド部９２は、本体後面カバー６２の他側の側部７６の内面によってガイドされる。
【００５２】
張出操作部９４は、操作基部９１の後面側に取り付けられており、操作基部９１よりも一回り小さい四角形の形状をしている。張出操作部９４は、直立ガイド部９２に対して間隔をあけて他側に配置されている。張出操作部９４がドア５０の側面（他側の側壁部７５）に対して外方に張り出している。すなわち、張出操作部９４の他側の一部分が、切欠ガイド部９８を通じて外方に張り出している。切欠ガイド部９８は、他側の側壁部７５の後方部分を前方に向けて部分的に切り欠くことによって形成されている。張出操作部９４は、ドア５０のロック解除の際に使用者の手指で直接的に操作されるので、ロック解除部５３として働く。したがって、ドア５０を閉じたとき、外方に張り出した張出操作部９４が正面視で容易に視認されて、ロック解除部５３の操作性が向上する。ロック解除部材９０がドア５０の厚み方向にスライド移動するとき、張出操作部９４の他側の一部分が、切欠ガイド部９８によってガイドされる。
【００５３】
操作押圧部９５は、揺動部材８０の揺動上接触部８３に接触可能なように、一側に向けて延在しており、揺動上接触部８３によって後面側に付勢されている。その結果、ロック解除部材９０が後面側に付勢されている。係止部材４０が揺動部材８０を介してロック解除部材９０に連結されているので、ロック解除部５３として働くロック解除部材９０の動きに連動して、係止爪部５７が動く。
【００５４】
また、本体後面カバー６２をドアベース部材１６４に取り付けたときに、本体後面カバー６２の他側の側部７６の端部が、操作基部９１に接触する。当該構成によれば、捻りコイルバネ４８によって後面側に付勢された操作基部９１が、本体後面カバー６２で受け止められるので、ロック解除部材９０の付勢状態が保たれるとともに、ロック解除部材９０がドア５０の厚み方向の後方にさらにスライド移動することが制限される。
【００５５】
ここで、ロック解除部５３としての張出操作部９４が、付勢力に抗してドア５０の厚み方向の前方にスライド移動するように操作されると、操作押圧部９５が前面側に移動する。操作押圧部９５の前面側への移動によって、揺動上接触部８３が前面側に移動し、揺動部材８０がシーソーのように揺動することによって揺動下接触部８２が後面側に移動する。揺動下接触部８２の後面側への移動によって、係止部材４０が一側に回動して、係止爪部５７が外箱１ａの被係止部６６に係止することが解除される。したがって、ロック解除部５３を前方にスライド移動させるという簡単な操作で、ドア５０のロック解除を行うことができる。
【００５６】
上記構成によれば、ドア５０の後面側において操作用凹部６４を形成するとともに当該操作用凹部６４にロック解除部５３を配設することにより、外箱１ａの前面側が有効利用されて、ドラム式洗濯機１を小型化できる。また、ドア５０の側部が操作用凹部６４として働く段部６３を備えることにより、ドア５０のロック解除の操作を行う際に使用者の手指が入るような十分なスペースを確保できるとともに、側面視でドア５０の厚みが薄いように視覚されてスリムなデザインになるという効果も奏する。
【００５７】
〔第２実施形態〕
図１１に示すように、ロック解除部５３として働くロック解除部材９０が、張出操作部９４を備えていない。これにより、ロック解除部材９０が、ドア本体部５１内に収まっており、ドア枠部６８の他側の側壁部７５から外方に張り出していない。ロック解除部材９０の操作基部９１は、ドア５０のロック解除の際に使用者の手指で直接的に操作される操作部として使用される。
【００５８】
これにより、外箱１ａの前面側が有効利用されてドラム式洗濯機１を小型化できることに加えて、ドア５０の他側の側面から張り出した部分が無いため、衣類などがドア５０に引っ掛かりにくくなり、コンパクトでシンプルなデザインになる。
【００５９】
〔第３実施形態〕
図１２に示すように、ドア５０の後面側且つ他側のコーナー部７４であってロック解除部５３に関係する部分では、本体後面カバー６２の他側の側部７６が一側に引っ込むことによって操作用凹部６４が形成されている。そして、操作用凹部６４以外の部分では、本体後面カバー６２の他側の側部７６が、ドア枠部６８の他側の側壁部７５と大略面一になっている。そして、操作用凹部６４には、ロック解除部５３が配設される。このように、操作用凹部６４以外の部分において本体後面カバー６２の他側の側部７６が他側に向けて拡張されることにより、ドア５０内の空間が増大する。
【００６０】
これにより、外箱１ａの前面側が有効利用されてドラム式洗濯機１を小型化できることに加えて、ドア５０の後面側且つ他側が有効利用でき、ドラム式洗濯機１を小型化できる。
【００６１】
以上説明したように、この発明の一局面に係る衣類処理装置１は、
外箱開口部６を外箱前面部１０３に有する外箱１ａと、
前記外箱１ａ内に配置されるとともに、少なくとも一部が前記外箱開口部６に対向して配置される回転槽開口部２６を有する回転槽３と、
一側において回動可能に支持するヒンジ部６５を有し、前記外箱開口部６を覆うことによって前記外箱開口部６を閉じるドア５０と、
前記ドア５０の後面側であり且つ前記ヒンジ部６５とは反対側に位置する他側のコーナー部７４において、前記ドア５０の厚み方向及び幅方向に切り欠かれた操作用凹部６４と、
前記ドア５０の前記操作用凹部６４に配設されて、前記ドア５０のロック解除を操作するためのロック解除部５３とを備えることを特徴とする。
【００６２】
上記構成によれば、ドア５０の後面側において操作用凹部６４及びロック解除部５３を配設することにより、外箱１ａの前面側が有効利用されて、衣類処理装置１を小型化できる。
【００６３】
一実施形態では、前記ロック解除部５３が、前記ドア５０の厚み方向にスライド移動可能に構成されている。
【００６４】
上記構成によれば、ロック解除部５３をドア５０の厚み方向にスライド移動させるという簡単な操作でドア５０のロック解除を行うことができる。
【００６５】
一実施形態では、前記操作用凹部６４が、前記ドア５０の他側において上下方向に延びる段部６３に形成されている。
【００６６】
上記構成によれば、ドア５０のロック解除の際に使用者の手指を入りやすくする十分なスペースを確保できるとともに、側面視でドア５０の厚みが薄いように視覚されてスリムなデザインになる。
【００６７】
一実施形態では、前記ロック解除部５３が、前記ドア５０の側面よりも外方に張り出した張出操作部９４を有する。
【００６８】
上記構成によれば、ドア５０を閉じたとき、外方に張り出した張出操作部９４が正面視で容易に視認されて、ロック解除部５３の操作性が向上する。
【００６９】
一実施形態では、前記ドア５０が、四角形のドア本体部５１と、該ドア本体部５１の上方に位置する傾斜部５２とを有し、前記傾斜部５２の上端部６７が前記ドア本体部５１よりも後方に位置するように傾斜しており、前記傾斜部５２の前面側には表示操作部５４が配設されている。
【００７０】
上記構成によれば、四角形のドア本体部５１を有するドア５０によって、外箱１ａとドア５０との間に凹凸部が形成されにくくなるので、清掃性が良好であるとともに、後方に傾斜した傾斜部５２の前面側に表示操作部５４を配設することによって、大きな傾斜部５２及び大きな表示操作部５４が配設できるので、表示操作部５４の操作性及び視認性が優れている。また、ドア５０の上方において傾斜部５２が後方に引っ込んだ形態になっているので、衣類処理装置１がコンパクトになるとともに圧迫感が軽減される。また、表示操作部５４がドア５０側に設けられているので、外箱前面部１０３の上方の空間を有効利用できる。
【００７１】
この実施形態を具体的に説明したが、この実施形態は、上記実施形態に限定されるものではなく、特許請求の範囲又はその均等の範囲において種々に変更して実施することができる。各種構成要素は、実施形態を説明するための一例であって、それらを限定するものでは無く、必要に応じて様々な変形を行うことができる。
【００７２】
上記実施形態では、衣類処理装置１として、ドラム式洗濯機を例示したが、衣類処理装置１はドラム式乾燥機であってもよい。
【００７３】
操作用凹部６４は、ドア５０の後面側且つ他側のコーナー部７４において、ロック解除部５３に直接的に関係する部分に加えて、ロック解除部５３の上側部分及び下側部分の少なくとも一方において拡張した形態にすることができる。すなわち、ドア５０の後面側且つ他側のコーナー部７４において、ロック解除部５３を起点にして、段部６３が上方及び下方の少なくとも一方に部分的に延びる形態にすることができる。
【００７４】
また、ドア５０の下端部６１が、排水フィルタ用ドア６０よりも下方に位置して、外箱１ａの下平面部１０３ｃと略同じ位置に位置していてもよい。そして、排水フィルタ用ドア６０を省略して、ドア５０が排水フィルタ用ドア６０の機能を兼ねることもできる。
【００７５】
また、電源ボタン３１が、ドア５０側に配置される構成とすることもできる。そして、電源ボタン３１が、ドア５０に設けられた表示操作部５４に配置されていてもよい。
【００７６】
また、傾斜部５２（表示操作部５４）は、ドア本体部５１のドア前パネル部６９に対して後方に湾曲しながら傾斜した湾曲板の形状とすることができ、このとき、操作カバー部７９は傾斜し且つ湾曲した面を有する。
【００７７】
被連結部５９に対する連結部５８の取り外し可能な連結方法は、上記ネジ留めに限られるものではない。ドア本体部５１と傾斜部５２との一体的な取り扱いを可能とするとともに、連結部５８と被連結部５９とを恒久的に固定せず取り外しを可能とするのであれば、どのような構成を採用してもよい。例えば、連結部５８及び被連結部５９のいずれか一方に弾性を有する係合爪を設け、連結部５８及び被連結部５９のいずれか他方に係合穴を設けて、係合爪が係合穴に係合することによって取り外し可能に連結することもできる。
【００７８】
また、表示操作部５４を有する傾斜部５２は、ドア本体部５１に対して取り外し不可の一体物とすることができる。
できる。
【符号の説明】
【００７９】
１…ドラム式洗濯機（衣類処理装置）
１ａ…外箱
２…水槽
３…回転槽（ドラム）
４…ドラムモータ
６…外箱開口部
１０…給水口
１１…洗剤ケース
１６…水槽開口部
１７…環状の装飾部材
１８…パッキン
１９…排水ダクト
２０…排水フィルタ装置
２１…排水ホース
２６…回転槽開口部
３０…気流フィルタ装置
３１…電源ボタン（機械式電源入りキー）
３５…ロック機構
４０…係止部材
４１…係止アーム部
４２…係止基部
４３…回動軸
４４…第１アーム部
４５…第２アーム部
４７…アーム受部
４８…捻りコイルバネ
４９…係止押圧部
５０…ドア
５１…ドア本体部
５２…傾斜部
５３…ロック解除部
５４…表示操作部（タッチパネル）
５５…傾斜後面カバー
５６…突出閉止部
５７…係止爪部
５８…連結部
５９…被連結部
６０…排水フィルタ用ドア
６１…下端部
６２…本体後面カバー
６３…段部
６４…操作用凹部
６５…ヒンジ部
６６…被係止部
６７…上端部
６８…ドア枠部
６９…ドア前パネル部
７０…糸屑フィルタ
７１…フィルタキャップ
７３…後面側且つ一側のコーナー部
７４…後面側且つ他側のコーナー部
７５…他側の側壁部
７６…他側の側部
７８…傾斜枠部
７９…操作カバー部
８０…揺動部材
８１…揺動軸
８２…揺動下接触部
８３…揺動上接触部
８５…揺動軸受部
９０…ロック解除部材
９１…操作基部
９２…直立ガイド部
９４…張出操作部
９５…操作押圧部
９６…下ガイド部
９７…上ガイド部
９８…切欠ガイド部
１０１…外箱上面部
１０３…外箱前面部
１０３ａ…外箱平面部
１０３ｂ…上傾斜部
１０３ｃ…下平面部
１０４…外箱後面部    
１０５…外箱側面部
１０６…底台
１６４…ドアベース部材
１８１…表示操作枠部
１８２…表示部
１８３…操作基板部
１８４…後面取付部
Ｊ…回転軸
【図１】
2018117889.tif 000003
【図２】
2018117889.tif 000004
【図３】
2018117889.tif 000005
【図４】
2018117889.tif 000006
【図５】
2018117889.tif 000007
【図６】
2018117889.tif 000008
【図７】
2018117889.tif 000009
【図８】
2018117889.tif 000010
【図９】
2018117889.tif 000011
【図１０】
2018117889.tif 000012
【図１１】
2018117889.tif 000013
【図１２】
2018117889.tif 000014